(57)【特許請求の範囲】
【請求項１】
物品を載置可能なベース部材に立設された四角筒状の折り畳み可能なスリーブに被せられる蓋部材であって、
スリーブの上方の開口を閉塞可能な略矩形板状の蓋本体を備えるとともに、
前記蓋本体の下面側には、前記蓋本体の外周縁に沿って形成され、スリーブの上辺部を挿入可能な溝構成部が設けられ、
前記溝構成部は、前記蓋本体の外周方向において対向する外壁部及び内壁部と、前記外壁部及び内壁部の上辺部間を連結する支持壁部とを備えて下方に開口する断面略コ字状をなし、
少なくとも前記蓋本体の相対する２つの側辺部に対応して、前記内壁部のうち前記蓋本体の内周側の面から延出するガイドリブが設けられ、
前記ガイドリブの下辺部は、前記蓋本体の外周側に向けて上方傾斜するとともに、前記内壁部の下辺部と連接しており、
前記蓋本体の上面側には、前記ガイドリブの上方位置において、前記蓋本体の上面から上方に突出する突出部が設けられ、
蓋部材同士を上下に積み重ねるとともに、上下に重ねられた蓋部材の外周縁を揃えた場合には、下側の蓋部材の前記突出部が、上側の蓋部材の前記ガイドリブの下辺部と前記外壁部との間の空間に収容されることを特徴とする蓋部材。
【発明の詳細な説明】
【技術分野】
【０００１】
本発明は、略矩形板状のベース部材と、ベース部材に立設される筒状のスリーブと、スリーブの上方の開口を塞ぐ蓋部材とによって構成され、物品の運搬等に使用される組立式容器に係り、特に、その蓋部材に関するものである。
【背景技術】
【０００２】
従来、物品を載置可能な略矩形板状のベース部材と、ベース部材に立設される四角筒状のスリーブと、スリーブの上方の開口を塞ぐ蓋部材とを備える組立式容器がある。当該組立式容器を使用して物品を運搬等する場合、スリーブによってベース部材に載置された物品の脱落が防止されるとともに、スリーブ及び蓋部材によって物品の保護が図られる。また、一般に、スリーブとしては折り畳み可能なものが採用され、非使用時には、組立式容器を解体して（ベース部材と、スリーブと、蓋部材とにばらして）、コンパクトにまとめておくことができるようになっている。
【０００３】
さらに、このような組立式容器においては、一般に、ベース部材、スリーブ、及び蓋部材の水平方向における相対的な位置ずれ、より具体的には、スリーブのベース部材からの脱落、蓋部材のスリーブからの脱落、及び、スリーブが不用意に折り畳まれてしまうことの防止を図るべく、ベース部材の上面や蓋部材の下面において、スリーブの下辺部又は上辺部を挿入可能な断面略コ字状の係止部（溝部や少なくとも一対の相対するリブ）が形成されている（例えば、特許文献１、２等参照。）。
【先行技術文献】
【特許文献】
【０００４】
【特許文献１】特開２００９−１０７７０３号公報
【特許文献２】特開２００４−１０１２７号公報
【発明の概要】
【発明が解決しようとする課題】
【０００５】
ところで、蓋部材に関しては、スリーブに被せる作業に際して、当該蓋部材の下面に形成された前記係止部を全て視認することが困難である。このため、例えば、係止部においてスリーブを挿入させるために形成された溝の幅がスリーブの厚みとほぼ同じ場合には、蓋部材をスリーブに被せる作業に支障が生じることが懸念される。
【０００６】
その一方で、係止部の溝の幅をスリーブの厚みに比して比較的広く形成した場合には、蓋部材をスリーブに被せる作業性の向上が図られるものの、スリーブに対する蓋部材のガタツキが生じやすくなったり、折り畳み可能に構成されるスリーブの不用意な変形を招いたりすることが懸念される。
【０００７】
本発明は上記問題点を解決するためになされたものであって、その目的は、スリーブに被せる際の作業性の向上を図りつつ、装着状態の安定化を図ることのできる蓋部材を提供することにある。
【課題を解決するための手段】
【０００８】
以下、上記目的等を解決するのに適した各手段につき項分けして説明する。なお、必要に応じて対応する手段に特有の作用効果等を付記する。
【０００９】
手段１．物品を載置可能なベース部材に立設された四角筒状の折り畳み可能なスリーブに被せられる蓋部材であって、
スリーブの上方の開口を閉塞可能な略矩形板状の蓋本体を備えるとともに、
前記蓋本体の下面側には、前記蓋本体の外周縁に沿って形成され、スリーブの上辺部を挿入可能な溝構成部が設けられ、
前記溝構成部は、前記蓋本体の外周方向において対向する外壁部及び内壁部と、前記外壁部及び内壁部の上辺部間を連結する支持壁部とを備えて下方に開口する断面略コ字状をなし、
少なくとも前記蓋本体の相対する２つの側辺部に対応して、前記内壁部のうち前記蓋本体の内周側の面から延出するガイドリブが設けられ、
前記ガイドリブの下辺部は、前記蓋本体の外周側に向けて上方傾斜するとともに、前記内壁部の下辺部と連接しており、
前記蓋本体の上面側には、前記ガイドリブの上方位置において、前記蓋本体の上面から上方に突出する突出部が設けられ、
蓋部材同士を上下に積み重ねるとともに、上下に重ねられた蓋部材の外周縁を揃えた場合には、下側の蓋部材の前記突出部が、上側の蓋部材の前記ガイドリブの下辺部と前記外壁部との間の空間に収容されることを特徴とする蓋部材。
【００１０】
手段１によれば、蓋本体の下面側には、溝構成部よりも蓋本体の内周側において、下辺部が蓋本体の外周側に向けて上方傾斜するガイドリブが設けられ、さらに、ガイドリブの下辺部は溝構成部の内壁部の下辺部と連接している。このため、スリーブの上辺部と、蓋部材のガイドリブの下辺部とが当接することで、スリーブの上辺部がガイドリブによって相対的に内壁部の下辺部側、ひいては、溝構成部の内側に案内され易くなる。従って、蓋部材をスリーブに被せる際に、スリーブの上辺部と、蓋部材の溝構成部との水平方向における位置がずれたとしても、スリーブの上辺部と、蓋部材のガイドリブの下辺部とが当接した状態とされていれば、比較的スムースに蓋部材の溝構成部にスリーブの上辺部を挿入させることができる。結果として、蓋部材をスリーブへ被せる際の作業性の向上を図ることができる。
【００１１】
また、溝構成部は、外壁部のみならず内壁部をも備えている。このため、溝構成部に挿入されたスリーブの変形を外壁部と内壁部とで規制することができ、スリーブが不用意に折り畳まれてしまうといった事態をより確実に防止することができる。さらに、上記のようにガイドリブが設けられることで、蓋部材をスリーブに被せる際の作業性の低下を回避しつつ、溝構成部の幅（外壁部と内壁部との間の距離）を狭めることができる。従って、外壁部と内壁部とでスリーブの変形を防止するといった作用効果が一層確実に奏される上、スリーブに対する蓋部材の水平方向におけるガタツキをより確実に防止することができる。結果として、蓋部材の装着状態、ひいては、ベース部材と、スリーブと、蓋部材とを組立てて箱型の容器にした状態の安定化を図ることができる。
【００１２】
尚、前記内壁部の下辺部は、ガイドリブの下辺部と面一となるように斜めに形成されていることとしてもよい。この場合、ガイドリブに当接したスリーブをよりスムースに溝構成部へと相対的に案内することができる。また、「少なくとも前記蓋本体の相対する２つの側辺部に対応して」とあるのに代えて、「前記蓋本体の４つの側辺部に対応して」としてもよい。この場合、蓋部材をスリーブに被せる際の案内効果がより一層奏されることとなる。
【００１４】
また、蓋部材の上面側には突出部が設けられており、蓋部材同士を上下に積み重ねた（段積みした）場合、下側の蓋部材の突出部が、上側の蓋部材のガイドリブの下辺部と外壁部との間の空間に収容されるようになっている。このため、蓋部材同士の段積みに際して、下側の蓋部材の突出部を挿入させて係止させるための凹部を別途形成しなくても済み、構成の複雑化を抑制しつつ、上側の蓋部材が下側の蓋部材から脱落するといった事態を防止することができる。
【００１５】
また、蓋部材同士を段積みする際に、上下の蓋部材の水平方向における位置がずれたとしても、下側の蓋部材の突出部の上面と、上側の蓋部材のガイドリブの下辺部とが当接した状態とされていれば、上側の蓋部材の傾斜したガイドリブによって、下側の蓋部材の突出部が、上側の蓋部材のガイドリブの下辺部と外壁部との間の空間に相対的に案内され易くなる。このため、比較的スムースに蓋部材の外周縁を揃えることができる。結果として、蓋部材同士を段積みする際の作業性の向上を図ることができる。
【００１６】
尚、「前記突出部の上面は、前記ガイドリブの下辺部と同じ傾斜角度をなすように構成されていること」としてもよい。この場合、下側の蓋部材の突出部の上面のどの部分が上側の蓋部材のガイドリブの下辺部と当接しても、下側の蓋部材の突出部が、上側の蓋部材のガイドリブの下辺部と外壁部との間の空間に相対的に案内され易くなる。このため、蓋部材同士を上下に重ねた際に、蓋部材同士が水平方向においてより大きく位置ずれした場合にも、案内効果が奏されるようになる。従って、蓋部材同士を段積みする際の作業性の向上をより一層図ることができる。
【００１７】
手段２．前記蓋本体の上面には、ベース部材の下面の複数箇所から下方に突設された支脚部を支持するとともに、該支脚部の水平方向への移動を規制可能な設置部が設けられ、
前記設置部は前記突出部に隣接して形成されるとともに、前記突出部の上面は前記設置部側に向けて下方傾斜していることを特徴とする手段１に記載の蓋部材。
【００１８】
手段２によれば、突出部の上面は、当該突出部に隣接する設置部側に向けて下方傾斜している。従って、蓋部材の上側にベース部材を積み重ねる場合に、蓋部材の設置部と、ベース部材の支脚部との水平方向における位置がずれたとしても、蓋部材の突出部の上面と、ベース部材の支脚部の下面とが当接した状態とされていれば、突出部の上面によって支脚部が設置部側に案内され易くなる。このため、比較的スムースにベース部材の支脚部を蓋部材の設置部に設置することができる。結果として、蓋部材の上にベース部材を積む際の作業性の向上を図ることができる。
【図面の簡単な説明】
【００１９】
【図１】組立式容器の分解斜視図である。
【図２】蓋部材を下面側から見た斜視図である。
【図３】蓋部材の一部断面を含む部分拡大斜視図である。
【図４】スリーブに装着された蓋部材の部分拡大断面図である。
【図５】蓋部材同士を段積みした状態を示す部分拡大断面図である。
【図６】蓋部材の上にパレットを載置した状態を示す斜視図である。
【図７】図６の部分拡大断面図である。
【図８】パレットの上に蓋部材を載置した状態を示す斜視図である。
【発明を実施するための形態】
【００２０】
以下に、一実施形態について図面を参照して説明する。図１に示すように、組立式容器１は、物品を載置可能なベース部材としてのパレット２と、パレット２の上面側に立設される四角筒状のスリーブ３と、スリーブ３の上方の開口を塞ぐようにしてスリーブ３に被せられる蓋部材４とを備えている。当該組立式容器１を用いて物品を運搬等する場合、パレット２に載置された物品の外周がスリーブ３によって保持されるため、物品の脱落等が防止される上、パレット２に載置された物品がスリーブ３及び蓋部材４によって覆われて保護されるため、物品の損傷等が防止されることとなる。
【００２１】
パレット２は、物品が載置される略矩形板状のデッキ１１と、デッキ１１の下面から下方に突出し、デッキ１１の上面を設置面（床面）と略平行に支持する支脚部１２とを備えている。支脚部１２は、デッキ１１の４隅と、デッキ１１の側辺部の中間位置と、デッキ１１の中央部とにおいて設けられ、各支脚部１２の間には、図示しないフォークリフトやハンドリフト等のフォークを差込可能な隙間（フォーク差込部）が形成されている。
【００２２】
また、デッキ１１の上面側には、四角筒状のスリーブ３を支持して立設させるための土台側溝構成部１３が、デッキ１１の外周縁に沿って形成されている。そして、スリーブ３の下辺部を、上方に開口する断面略コ字状の土台側溝構成部１３に挿入することで、スリーブ３がパレット２に支持されるとともに、水平方向における位置ずれが防止されることとなる。
【００２３】
スリーブ３は、四角筒状をなすべく４つの側壁部２１を備え、側壁部２１同士が互いに図示しないヒンジ部を介して屈曲自在に連結されている。さらに、４つの側壁部２１のうち相対する一対の側壁部２１に関しては、左右に並ぶ２枚の板状体２３が図示しないヒンジ部で屈曲自在に連結されることで構成されている。当該構成により、スリーブ３は、２枚の板状体２３で構成される側壁部２１を内側に折り込むようにして折り畳み可能になっている。
【００２４】
蓋部材４は、スリーブ３の上方の開口を閉塞可能な略矩形板状の蓋本体３１を備えるとともに、図２に示すように、蓋本体３１の下面側には、蓋本体３１の外周縁に沿って形成され、スリーブ３の上辺部を挿入可能な蓋側溝構成部３２が設けられている。図３等に示すように、蓋側溝構成部３２は、蓋本体３１の外周方向において対向する外壁部３３及び内壁部３４と、外壁部３３及び内壁部３４の上辺部間を連結する支持壁部３５とを備え、下方に開口する断面略コ字状をなしている。蓋側溝構成部３２の支持壁部３５の幅（外壁部３３と内壁部３４との間の距離）は、スリーブ３の厚みよりも若干大きい程度に構成されている。本実施形態の蓋部材４は、ポリプロピレンによって、型成形により一体的に形成されている。
【００２５】
また、図２、図３等に示すように、蓋本体３１の下面側には、蓋本体３１の各側辺部と平行して格子状に延在する補強リブ３７が形成されている。本実施形態では、蓋本体３１の下面には、外周縁の全周にわたって蓋側溝構成部３２が連続的に形成されていることから、補強リブ３７は、蓋側溝構成部３２よりも蓋本体３１の内周側において設けられている。
【００２６】
さらに、図３、図４等に示すように、本実施形態では、補強リブ３７のうち最も蓋部材４の外周側に位置する部位として蓋側溝構成部３２と対向するリブ（以下、「隣接リブ３８」と称する）と、蓋側溝構成部３２の内壁部３４との間を連結するガイドリブ３９が設けられている。ガイドリブ３９の下辺部は、隣接リブ３８の下辺部、及び、内壁部３４の下辺部と連接している。また、蓋側溝構成部３２の内壁部３４の下辺部は、補強リブ３７（隣接リブ３８）の下辺部よりも上方に位置しており、ガイドリブ３９の下辺部は、蓋本体３１の外周側に向けて上方傾斜している。さらに、本実施形態の内壁部３４の下辺部（下面）は、ガイドリブ３９の下辺部と面一となるように斜めに形成されている。
【００２７】
当該構成により、蓋部材４をスリーブ３に被せる作業に際して、スリーブ３の上辺部の位置と、蓋部材４の蓋側溝構成部３２との位置が水平方向において若干ずれた場合でも、スリーブ３の上辺部が、蓋部材４のガイドリブ３９の下辺部に当接することで、スリーブ３の上辺部がガイドリブ３９によって、蓋側溝構成部３２側に相対的に案内され易くなる。このため、比較的容易に蓋部材４をスリーブ３に被せることができる。
【００２８】
加えて、図２に示すように、蓋本体３１の上面側には、蓋部材４の相対する一対の側辺部において、それぞれ蓋本体３１の外周方向においてスライド可能に構成され、蓋側溝構成部３２の内側に突出可能なロック部材４１が設けられている。これに対し、図１に示すように、スリーブ３のうち蓋側溝構成部３２の内側に挿入される部位には、スリーブ３の厚み方向に貫通する係止孔２５が形成されている。そして、蓋側溝構成部３２にスリーブ３が挿入された状態で、ロック部材４１を蓋側溝構成部３２に突出させることで、ロック部材４１の先端が、スリーブ３の係止孔２５に挿通される。これにより、スリーブ３と蓋部材４とが固定され、蓋部材４の脱落等がより確実に防止されるようになっている。
【００２９】
尚、図示は省略するが、パレット２においても、土台側溝構成部１３の内側に突出可能なロック部材が設けられており、該ロック部材がスリーブ３の下部の係止孔２５に挿入されることで、パレット２とスリーブ３とが固定され、スリーブ３の脱落等がより確実に防止されるようになっている。また、蓋部材４の蓋本体３１の外周形状と、パレット２のデッキ１１の外周形状とは同じとなっており、図８に示すように、パレット２の上側に蓋部材４を直接載置することも可能である。この場合、蓋部材４の蓋側溝構成部３２の外壁部３３を部分的に下方に延長形成することで設けられた位置決めリブ４２が、パレット２の土台側溝構成部１３（の外壁部）に形成された位置決め凹部１５に嵌入することとなり、水平方向における位置ずれ防止が図られている。
【００３０】
また、図１、図３等に示すように、蓋本体３１の上面側には、ガイドリブ３９の上方位置において、蓋本体３１の上面から上方に突出する突出部４３が設けられている。図４等に示すように、突出部４３は、蓋側溝構成部３２の内壁部３４を蓋本体３１の上面側に延長させるようにして形成された外板部４４と、外板部４４よりも蓋本体３１の内周側に位置して、外板部４４と所定距離を隔てて対向する内板部４５と、外板部４４及び内板部４５の上辺部間を連結する上板部４６とを備えている。外板部４４は内板部４５よりも上方にまで延出しており、突出部４３の上面を構成する上板部４６は、蓋本体３１の内周側に向けて下方傾斜している。特に、本実施形態では、ガイドリブ３９の下辺部の傾斜角度と、当該ガイドリブ３９の上方に位置する突出部４３の上板部４６の傾斜角度とが同一となっている。さらに、内板部４５は、隣接リブ３８よりも蓋本体３１の外周側に位置している。
【００３１】
当該構成により、図５に示すように、蓋部材４同士を、その外周縁を揃えるようにして上下に積み重ねる（段積みする）と、下側の蓋部材４の突出部４３が、上側の蓋部材４の隣接リブ３８と外壁部３３との間の空間、より具体的には、ガイドリブ３９の下辺部と外壁部３３との間の空間に収容されるようになっている。また、蓋部材４同士を段積みする作業に際して、上下の蓋部材４の水平方向における位置が若干ずれた場合でも、下側の蓋部材４の突出部４３の上面が、上側の蓋部材４のガイドリブ３９の傾斜した下辺部に当接することで、下側の蓋部材４の突出部４３が、上側の蓋部材４のガイドリブ３９によって上側の蓋部材４の蓋側溝構成部３２側に相対的に案内され易くなる。このため、比較的容易に蓋部材４同士を段積みすることができる。
【００３２】
尚、本実施形態では、蓋本体３１の外周方向において蓋側溝構成部３２の内壁部３４と、突出部４３の外板部４４との位置が揃っている。このため、蓋部材４同士を段積みすると、下側の蓋部材４の突出部４３の外板部４４と、上側の蓋部材４の蓋側溝構成部３２の外壁部３３の内面との間に比較的大きな隙間が形成される。この点、本実施形態では、外板部４４の外面から蓋本体３１の外周側に突出するガタ止めリブ４７が設けられ、当該ガタ止めリブ４７によって、かかる隙間を狭めることができ、蓋部材４間の位置ずれを抑制することができる。
【００３３】
また、本実施形態では、蓋部材４同士を段積みすると、下側の蓋部材４の突出部４３の全体が、上側の蓋部材４の隣接リブ３８（ガイドリブ３９の下辺部）と外壁部３３との間の空間に収容されることとなり、下側の蓋部材４の蓋本体３１の上面と、上側の蓋部材４の補強リブ３７の下辺部とが当接するように構成されている。このため、段積みされた蓋部材４全体の高さを抑制することができる。さらに、本実施形態では、蓋側溝構成部３２（外壁部３３）の下縁部は、基本的に補強リブ３７の下辺部よりも上方に位置しており、下方に大きく突出した部位（位置決めリブ４２）においても、補強リブ３７の下辺部と同じ高さ位置となっている。これにより、蓋部材４自身を支持する面積（接地領域）を増やすことができ、蓋部材４の変形（塑性変形）等の抑制を図ることができる。
【００３４】
尚、本実施形態の蓋部材４は、ロック部材４１を収容するための収容部４８（図１参照）が、ガイドリブ３９の下辺部よりも蓋本体３１の外周側にまで突出している（図２参照）。このため、当該収容部４８が設けられた蓋部材４の相対する一対の側辺部においては、ガイドリブ３９によってスリーブ３の上辺部を相対的に案内する機能が十分に作用しないが、収容部４８が設けられていない蓋部材４の相対する一対の側辺部においては、ガイドリブ３９によるスリーブ３の案内効果が確実に奏される。また、蓋部材４をスリーブ３へ被せる際には、蓋部材４のロック部材４１が設けられていない辺部を、スリーブ３の２枚の板状体２３で構成される側壁部２１に対応させることが望ましい。すなわち、当該側壁部２１が若干屈曲していたとしても、蓋部材４のガイドリブ３９で側壁部２１の上辺部を案内しながら蓋側溝構成部３２に嵌入させることで、側壁部２１も自然と真っ直ぐになることから、蓋部材４を被せる作業に際して、２枚の板状体２３で構成される側壁部２１を真っ直ぐ延びるように保持しておく必要がなくなり、作業性の向上が図られる。
【００３５】
さらに、本実施形態では、蓋部材４の上面側に設けられる突出部４３は、ロック部材４１、ひいては、収容部４８が設けられる位置には設けられていない。このため、蓋部材４同士を段積みする場合に、蓋部材４の全ての側辺部において、上側の蓋部材４のガイドリブ３９によって下側の蓋部材４の突出部４３を相対的に案内する作用効果が奏される。
【００３６】
また、図６、図７に示すように、本実施形態では、蓋部材４の上面に対して直接パレット２を載置可能に構成されており、蓋部材４の上面には、パレット２を蓋部材４上に外周縁を合わせるようにして載置した場合に、パレット２の支脚部１２を支持する位置において正方形状に凹む設置部としての設置凹部４９（図１等参照）が形成されている。パレット２の支脚部１２が蓋部材４の設置凹部４９に挿入されて支持されることで、各支脚部１２の水平方向における位置ずれが防止されるようになっている。
【００３７】
さらに、前記突出部４３は、設置凹部４９のうち蓋本体３１の外周縁に沿って延びる辺部に隣接して設けられている。換言すれば、設置凹部４９は、突出部４３の内板部４５に隣接して設けられている。また、上記のように、突出部４３の上面は、蓋本体３１の内周側に向けて下方傾斜していることから、蓋部材４の上側にパレット２を載置する際に、設置凹部４９と支脚部１２とが水平方向において若干位置ずれしたとしても、支脚部１２の下面が突出部４３の上面に当接することで、支脚部１２が突出部４３の上面によって、設置凹部４９側に案内され易くなる。このため、比較的容易にパレット２を蓋部材４に載せることができる。
【００３８】
以上詳述したように、本実施形態によれば、蓋本体３１の下面側には、蓋側溝構成部３２よりも蓋本体３１の内周側において、下辺部が蓋本体３１の外周側に向けて上方傾斜するガイドリブ３９が設けられ、さらに、ガイドリブ３９の下辺部は蓋側溝構成部３２の内壁部３４の下辺部と連接している。このため、スリーブ３の上辺部と、蓋部材４のガイドリブ３９の下辺部とが当接することで、スリーブ３の上辺部がガイドリブ３９によって相対的に内壁部３４の下辺部側、ひいては、蓋側溝構成部３２の内側に案内され易くなる。従って、蓋部材４をスリーブ３に被せる際に、スリーブ３の上辺部と、蓋部材４の蓋側溝構成部３２との水平方向における位置がずれたとしても、スリーブ３の上辺部と、蓋部材４のガイドリブ３９の下辺部とが当接した状態とされていれば、比較的スムースに蓋部材４の蓋側溝構成部３２にスリーブ３の上辺部を挿入させることができる。特に、本実施形態では、内壁部３４の下辺部がガイドリブ３９の下辺部と面一となるように斜めに形成されているため、ガイドリブ３９に当接したスリーブ３をよりスムースに蓋側溝構成部３２へと相対的に案内することができる。結果として、蓋部材４をスリーブ３へ被せる際の作業性の向上を図ることができる。
【００３９】
また、蓋側溝構成部３２は、（蓋本体３１の外周縁の全周にわたって）外壁部３３のみならず内壁部３４をも備えている。このため、蓋側溝構成部３２に挿入されたスリーブ３の変形を外壁部３３と内壁部３４とで規制することができ、スリーブ３が不用意に折り畳まれてしまうといった事態をより確実に防止することができる。さらに、上記のようにガイドリブ３９が設けられることで、蓋部材４をスリーブ３に被せる際の作業性の低下を回避しつつ、蓋側溝構成部３２の幅（外壁部３３と内壁部３４との間の距離）を狭めることができる（本例では、スリーブ３の側壁部２１の厚み相当）。従って、外壁部３３と内壁部３４とでスリーブ３の変形を防止するといった作用効果が一層確実に奏される上、スリーブ３に対する蓋部材４の水平方向におけるガタツキをより確実に防止することができる。結果として、蓋部材４の装着状態、ひいては、パレット２と、スリーブ３と、蓋部材４とを組立てて組立式容器１を構成した状態の安定化を図ることができる。
【００４０】
また、蓋部材４の上面側には突出部４３が設けられており、蓋部材４同士を段積みした場合、下側の蓋部材４の突出部４３が、上側の蓋部材４の隣接リブ３８（ガイドリブ３９の下辺部）と外壁部３３との間の空間に収容されるようになっている。このため、蓋部材４同士の段積みに際して、下側の蓋部材４の突出部４３を挿入させて係止させるための凹部を別途形成しなくても済み、構成の複雑化を抑制しつつ、上側の蓋部材４が下側の蓋部材４から脱落するといった事態を防止することができる。
【００４１】
また、蓋部材４同士を段積みする際に、上下の蓋部材４の水平方向における位置がずれたとしても、下側の蓋部材４の突出部４３の上面と、上側の蓋部材４のガイドリブ３９の下辺部とが当接した状態とされていれば、上側の蓋部材４の傾斜したガイドリブ３９によって、下側の蓋部材４の突出部４３が、上側の蓋部材４の隣接リブ３８と外壁部３３との間の空間に相対的に案内され易くなる。このため、比較的スムースに蓋部材４の外周縁を揃えることができる。結果として、蓋部材４同士を段積みする際の作業性の向上を図ることができる。
【００４２】
加えて、突出部４３の上面は、ガイドリブ３９の下辺部と同じ傾斜角度をなすように構成されている。このため、下側の蓋部材４の突出部４３の上面と、上側の蓋部材４の隣接リブ３８の下辺部とが当接することでも、下側の蓋部材４の突出部４３が、上側の蓋部材４の隣接リブ３８と外壁部３３との間の空間に相対的に案内され易くなる。このため、蓋部材４同士を上下に重ねた際に、蓋部材４同士が水平方向においてより大きく位置ずれした場合にも、案内効果が奏されるようになる。従って、蓋部材４同士を段積みする際の作業性の向上をより一層図ることができる。さらに、下側の蓋部材４の突出部４３の上面と、上側の蓋部材４のガイドリブ３９の下辺部との接触面積を増やすことができ、突出部４３及びガイドリブ３９の接触時の破損等を抑制することができる。
【００４３】
また、突出部４３の上面は、ガイドリブ３９の下辺部と同じ傾斜角度をなすように形成されることで、蓋本体３１の内周側に向けて下方傾斜する傾斜面となっている。さらに、突出部４３の蓋本体３１の内周側に隣接して設置凹部４９が設けられている。従って、蓋部材４の上側にパレット２を積み重ねる場合に、蓋部材４の設置凹部４９と、パレット２の支脚部１２との水平方向における位置がずれたとしても、蓋部材４の突出部４３の上面と、パレット２の支脚部１２の下面とが当接した状態とされていれば、支脚部１２が突出部４３の上面によって設置凹部４９側に案内され易くなる。このため、比較的スムースにパレット２の支脚部１２を蓋部材４の設置凹部４９に設置することができる。結果として、蓋部材４の上にパレット２を積む際の作業性の向上を図ることができる。
【００４４】
尚、上記実施形態の記載内容に限定されず、例えば次のように実施してもよい。勿論、以下において例示しない他の応用例、変更例も当然可能である。
【００４５】
（ａ）上記実施形態では、スリーブ３においてロック部材４１の先端部が係止される係止孔２５が形成されているが、スリーブ３の上部と蓋部材４とを係合する構成は特に限定されるものではない。例えば、係止孔２５を省略する、或いは、係止孔２５に代えて凹部を形成する等して、ロック部材４１をスリーブ３に圧接させることでスリーブ３の脱落等を抑制するように構成してもよい。加えて、ロック部材４１を省略することも可能である。
【００４６】
また、上記実施形態では、ロック部材４１を収容するための収容部４８が、斜めに延びるガイドリブ３９の下辺部よりも蓋本体３１の外周側に突出しているが、突出しないように構成することとしてもよい。この場合、ロック部材４１を蓋側溝構成部３２の内側に出没させるべく、上記実施形態よりもロック部材４１を大きく変位させる必要が生じるものの、蓋部材４をスリーブ３に被せる際に、当該ロック部材４１が設けられている蓋部材４の側辺部に関しても、ガイドリブ３９の下辺部の傾斜による案内効果を享受することができ、蓋部材４をスリーブ３に被せる際の作業性の向上をより一層図ることができる。尚、当該作用効果は、ロック部材４１及び収容部４８を省略した場合にも同様に奏される。
【００４７】
（ｂ）上記実施形態では、蓋本体３１の上面において、蓋部材４にパレット２を載置する場合に支脚部１２と当接して支持する設置部として、支脚部１２が設置される部位の蓋本体３１の上面を下方に凹ませることで設置凹部４９を形成しているが、凹ませなくてもよい。すなわち、上記実施形態のように、支脚部１２が設置される部位に隣接して突出部４３が複数箇所に設けられていれば、当該突出部４３の内板部４５で支脚部１２の位置ずれを規制することができる。勿論、上記実施形態のように設置凹部４９を形成することで、蓋部材４に載置されたパレット２の位置ずれをより確実に防止することができる。
【００４８】
（ｃ）上記実施形態では、蓋側溝構成部３２の支持壁部３５の幅は、スリーブ３の厚みよりも若干大きい程度に構成されているが、上記実施形態よりも大きくてもよい。但し、スリーブ３の位置決めを行う（水平方向における位置ずれを防止する）といった観点からすると、極力狭く構成されること（スリーブ３の厚みよりも若干大きい程度）が望ましい。
【００４９】
また、上記実施形態では、蓋本体３１の外周方向において、突出部４３の外板部４４の位置と、蓋側溝構成部３２の内壁部３４の位置とが同じとなっているが、特にこのような構成に限定されるものではない。すなわち、外板部４４が外壁部３３よりも蓋本体３１の内周側に位置し、内板部４５が隣接リブ３８よりも蓋本体３１の外周側に位置し、蓋部材４同士を段積みした場合に、下側の蓋部材４の突出部４３が、上側の蓋部材４の外壁部３３と隣接リブ３８との間に収容されるようになっていればよい。例えば、突出部４３の外板部４４を、蓋側溝構成部３２の内壁部３４よりも蓋本体３１の外周側に位置させるとともに、突出部４３を上方に開口させる（上板部４６を省略する代わりに外板部４４と内板部４５とを連結するリブを設ける）こととしてもよい。
【００５０】
さらに、上記実施形態では、突出部４３の上面がガイドリブ３９の下辺部の傾斜角度と同じ角度の傾斜面となっているが、傾斜角度が異なっていてもよい。すなわち、突出部４３の上面の傾きが異なっている（例えば、水平面である）場合にも、蓋部材４同士を段積みする際に、下側の蓋部材４の突出部４３の上面が、上側の蓋部材４のガイドリブ３９の下辺部に当接すれば、同様に案内効果が奏される。また、突出部４３の上面が隣接する設置凹部４９に向けて下方傾斜してさえいれば、蓋部材４にパレット２を載置する際の案内効果が奏される。
【００５１】
（ｄ）上記実施形態では、ベース部材として支脚部１２が設けられたパレット２が採用されているが、ベース部材の構成は特に限定されるものではなく、例えば、支脚部１２が省略されたようなベース部材を採用してもよい。また、パレット２の支脚部１２の数は特に限定されるものではなく、少なくともデッキ１１の４隅に設けられていればよい。また、上記実施形態のスリーブ３は、２枚の板状体２３を具備する側壁部２１を内側に折り込むようにして折り畳むことができる構成となっているが、それぞれ１枚の板状体で構成された４つの側壁部２１同士をヒンジ接続することで、所定のコーナー部と対角のコーナー部とを近接させるようにして折り畳み可能に構成されたものであってもよい。
【００５２】
（ｅ）上記実施形態では、蓋部材４はポリプロピレンにより構成されているが、ポリエチレン、ＰＥＴ、ポリアミド等その他の樹脂材料により構成されることとしてもよい。  
【符号の説明】
【００５３】
１…組立式容器、２…パレット、３…スリーブ、４…蓋部材、１１…デッキ、１２…支脚部、３１…蓋本体、３２…蓋側溝構成部、３３…外壁部、３４…内壁部、３５…支持壁部、３７…補強リブ、３８…隣接リブ、３９…ガイドリブ、４３…突出部、４９…設置凹部。
【図１】
0005727889.tif 000002
【図２】
0005727889.tif 000003
【図３】
0005727889.tif 000004
【図４】
0005727889.tif 000005
【図５】
0005727889.tif 000006
【図６】
0005727889.tif 000007
【図７】
0005727889.tif 000008
【図８】
0005727889.tif 000009